(57)【要約】【課題】撮影を邪魔することなく、ファインダーに表示された通知マークの詳細をユーザに容易に把握させることができる技術を提供する。【解決手段】本発明のシステムは、撮像装置と情報処理装置を有するシステムであって、前記撮像装置は、前記撮像装置の取り得る複数の状態のうち、通知対象とされる状態を検知する第１検知手段と、前記第１検知手段によって検知された状態に対応するマークを第１表示部に表示するように制御する第１制御手段と、前記通知対象とされる状態が前記第１検知手段によって検知されたことに応じて、当該状態に対応する識別情報を送信する送信手段と、を有し、前記情報処理装置は、前記送信手段によって送信された識別情報を受信する受信手段と、前記受信手段によって受信された識別情報に対応する状態に関する第１通知情報の通知を行う第１通知手段と、を有する。【選択図】図６
2019046145.tif 000002
【特許請求の範囲】
【請求項１】
撮像装置と情報処理装置を有するシステムであって、
前記撮像装置は、
前記撮像装置の取り得る複数の状態のうち、通知対象とされる状態を検知する第１検知手段と、
前記第１検知手段によって検知された状態に対応するマークを第１表示部に表示するように制御する第１制御手段と、
前記通知対象とされる状態が前記第１検知手段によって検知されたことに応じて、当該状態に対応する識別情報を送信する送信手段と、
を有し、
前記情報処理装置は、
前記送信手段によって送信された識別情報を受信する受信手段と、
前記受信手段によって受信された識別情報に対応する状態に関する第１通知情報の通知を行う第１通知手段と、
を有する
ことを特徴とするシステム。
【請求項２】
前記情報処理装置は、前記第１通知情報を記憶する記憶手段、をさらに有する
ことを特徴とする請求項１に記載のシステム。
【請求項３】
前記情報処理装置は、前記識別情報に対応する状態に関する第２通知情報を第２表示部に表示するように制御する第２制御手段、をさらに有する
ことを特徴とする請求項１または２に記載のシステム。
【請求項４】
前記第２制御手段は、前記撮像装置による撮影後に、前記第２通知情報を前記第２表示部に表示するように制御する
ことを特徴とする請求項３に記載のシステム。
【請求項５】
前記撮像装置は、
前記撮像装置のファインダーからの離眼を検知する第２検知手段と、
前記第２検知手段によって前記離眼が検知されると前記情報処理装置に対して通知を行う第２通知手段と、
をさらに有し、
前記第２制御手段は、前記第２通知手段によって通知が行われたことに応じて、前記第２通知情報を前記第２表示部に表示するように制御する
ことを特徴とする請求項３に記載のシステム。
【請求項６】
前記第１通知情報は、前記第２通知情報とは異なる
ことを特徴とする請求項３〜５のいずれか１項に記載のシステム。
【請求項７】
前記第１通知手段は、音声と振動のうち少なくとも一方により前記第１通知情報の通知を行う
ことを特徴とする請求項１〜６のいずれか１項に記載のシステム。
【請求項８】
前記情報処理装置は、前記撮像装置による音声記録を検知する第３検知手段、をさらに有し、
前記第１通知手段は、前記音声記録が前記第３検知手段によって検知されているか否かに応じて、前記第１通知情報の通知方法を切り替える
ことを特徴とする請求項１〜７のいずれか１項に記載のシステム。
【請求項９】
前記第１通知手段は、
前記音声記録が前記第３検知手段によって検知されている場合に、前記第１通知情報を振動で通知し、
前記音声記録が前記第３検知手段によって検知されていない場合に、前記第１通知情報を音声で通知する
ことを特徴とする請求項８に記載のシステム。
【請求項１０】
前記情報処理装置は、前記第１通知情報を外部装置から取得する取得手段、をさらに有する
ことを特徴とする請求項１〜９のいずれか１項に記載のシステム。
【請求項１１】
前記情報処理装置は、前記情報処理装置と前記撮像装置の接続を検知する第４検知手段、をさらに有し、
前記取得手段は、前記第４検知手段によって前記接続が検知されたことに応じて、前記撮像装置に対応する第１通知情報を取得する
ことを特徴とする請求項１０に記載のシステム。
【請求項１２】
前記撮像装置は、
前記撮像装置に装着されたレンズの交換を検知する第５検知手段と、
前記第５検知手段によって検知された前記レンズの交換を前記情報処理装置に通知する第３通知手段と、
をさらに有し、
前記取得手段は、前記第３通知手段によって前記レンズの交換が通知されたことに応じて、交換後のレンズに対応する第１通知情報を取得する
ことを特徴とする請求項１０に記載のシステム。
【請求項１３】
前記取得手段は、前記受信手段によって前記識別情報が受信されたことに応じて、当該識別情報に対応する前記第１通知情報を取得する
ことを特徴とする請求項１０に記載のシステム。
【請求項１４】
前記第１表示部は、光学ファインダー越しに見られる表示部、または、電子ビューファインダーとして利用される表示部である
ことを特徴とする請求項１〜１３のいずれか１項に記載のシステム。
【請求項１５】
撮像装置であって、
前記撮像装置の取り得る複数の状態のうち、通知対象とされる状態を検知する検知手段と、
前記検知手段によって検知された状態に対応するマークを表示部に表示するように制御する制御手段と、
前記通知対象とされる状態が前記検知手段によって検知されたことに応じて、当該状態に対応する識別情報を送信する送信手段と、
を有することを特徴とする撮像装置。
【請求項１６】
撮像装置の状態が、通知対象とされる状態になったことに応じて、当該状態に対応する識別情報を受信する受信手段と、
前記受信手段によって受信された識別情報に対応する状態に関する通知情報の通知を行う通知手段と、
を有することを特徴とする情報処理装置。
【請求項１７】
撮像装置と情報処理装置を有するシステムの制御方法であって、
前記撮像装置が、前記撮像装置の取り得る複数の状態のうち、通知対象とされる状態を検知する検知ステップと、
前記撮像装置が、前記検知ステップによって検知された状態に対応するマークを表示部に表示するように制御する制御ステップと、
前記撮像装置が、前記通知対象とされる状態が前記検知ステップによって検知されたことに応じて、当該状態に対応する識別情報を送信する送信ステップと、
前記情報処理装置が、前記送信ステップによって送信された識別情報を受信する受信ステップと、
前記情報処理装置が、前記受信ステップによって受信された識別情報に対応する状態に関する通知情報の通知を行う通知ステップと、
を有することを特徴とする制御方法。
【請求項１８】
コンピュータを請求項１〜１４のいずれか１項に記載のシステムの各手段として機能させるためのプログラム。
【発明の詳細な説明】
【技術分野】
【０００１】
本発明は、システム、撮像装置、情報処理装置、制御方法、及び、プログラムに関する。
【背景技術】
【０００２】
従来、カメラのファインダー内に通知マークを表示する機能が提供されている。例えば、通知マークは、被写体までの距離がカメラの最短撮影距離よりも短い場合に表示される。また、ピクチャースタイルがモノクロの場合や、ホワイトバランス補正が設定されている場合、さらに記録画質が変更されている場合にも、通知マークは表示される。この機能により、撮影が困難な状態であり、シャッターが切れないことなどがユーザ（撮影者）へ通知される。
【０００３】
特許文献１には、カメラのヘルプスイッチの押下に応じて、カメラの操作状態に応じた説明（説明データ）を、サーバから取得して表示するスマートフォンが開示されている。
【先行技術文献】
【特許文献】
【０００４】
【特許文献１】特開２００４−５４８２０号公報
【発明の概要】
【発明が解決しようとする課題】
【０００５】
しかしながら、ファインダー内に表示される通知マークは汎用的なマークであるため、ユーザは、表示された通知マークを見ても、当該通知マークの詳細を容易に把握することはできない。また、特許文献１に開示の技術により表示された説明（通知マークに対応する説明）を読むためには、ファインダーから眼を離す必要がある。さらに、特許文献１に開示の技術により説明を表示するには、ヘルプスイッチを押下する必要がある。そのため、特許文献１に開示の技術を用いたとしても、通知マークの詳細を容易に把握することはできない。その結果、ユーザは、表示された通知マークの詳細を把握しようとすると、撮影に集中できなくなる。
【０００６】
本発明は、撮影を邪魔することなく、ファインダーに表示された通知マークの詳細をユーザに容易に把握させることができる技術を提供することを目的とする。
【課題を解決するための手段】
【０００７】
本発明の第１の態様は、
撮像装置と情報処理装置を有するシステムであって、
前記撮像装置は、
前記撮像装置の取り得る複数の状態のうち、通知対象とされる状態を検知する第１検知手段と、
前記第１検知手段によって検知された状態に対応するマークを第１表示部に表示するように制御する第１制御手段と、
前記通知対象とされる状態が前記第１検知手段によって検知されたことに応じて、当該状態に対応する識別情報を送信する送信手段と、
を有し、
前記情報処理装置は、
前記送信手段によって送信された識別情報を受信する受信手段と、
前記受信手段によって受信された識別情報に対応する状態に関する第１通知情報の通
知を行う第１通知手段と、
を有する
ことを特徴とするシステムである。
【０００８】
本発明の第２の態様は、
撮像装置であって、
前記撮像装置の取り得る複数の状態のうち、通知対象とされる状態を検知する検知手段と、
前記検知手段によって検知された状態に対応するマークを表示部に表示するように制御する制御手段と、
前記通知対象とされる状態が前記検知手段によって検知されたことに応じて、当該状態に対応する識別情報を送信する送信手段と、
を有することを特徴とする撮像装置である。
【０００９】
本発明の第３の態様は、
撮像装置の状態が、通知対象とされる状態になったことに応じて、当該状態に対応する識別情報を受信する受信手段と、
前記受信手段によって受信された識別情報に対応する状態に関する通知情報の通知を行う通知手段と、
を有することを特徴とする情報処理装置である。
【００１０】
本発明の第４の態様は、
撮像装置と情報処理装置を有するシステムの制御方法であって、
前記撮像装置が、前記撮像装置の取り得る複数の状態のうち、通知対象とされる状態を検知する検知ステップと、
前記撮像装置が、前記検知ステップによって検知された状態に対応するマークを表示部に表示するように制御する制御ステップと、
前記撮像装置が、前記通知対象とされる状態が前記検知ステップによって検知されたことに応じて、当該状態に対応する識別情報を送信する送信ステップと、
前記情報処理装置が、前記送信ステップによって送信された識別情報を受信する受信ステップと、
前記情報処理装置が、前記受信ステップによって受信された識別情報に対応する状態に関する通知情報の通知を行う通知ステップと、
を有することを特徴とする制御方法である。
【００１１】
本発明の第５の態様は、コンピュータを上述したシステムの各手段として機能させるためのプログラムである。
【発明の効果】
【００１２】
本発明によれば、撮影を邪魔することなく、ファインダーに表示された通知マークの詳細をユーザに容易に把握させることができる。
【図面の簡単な説明】
【００１３】
【図１】本実施形態に係るシステムの概略構成例を示す構成図である。
【図２】本実施形態に係る通信端末の概略構成例を示すブロック図である。
【図３】本実施形態に係る撮像装置の概略構成例を示すブロック図である。
【図４】本実施形態に係る通知マーク表示の一例を示す図である。
【図５】本実施形態に係るテーブルデータの一例を示す図である。
【図６】本実施形態に係るシステムの動作の一例を示すシーケンス図である。
【図７】本実施形態に係る通信端末の動作の一例を示すフローチャートである。
【図８】本実施形態に係る通知画面の一例を示す図である。
【図９】本実施形態に係るバイブレーション設定画面の一例を示す図である。
【発明を実施するための形態】
【００１４】
以下、本発明の好適な実施の形態について、図面を参照して説明する。ただし、以下で述べる構成や処理はあくまで一例であり、本発明の範囲をそれらのみに限定する趣旨のものではない。
【００１５】
図１は、本実施形態に係るシステムの概略構成例を示す構成図である。図１のシステムは、撮像装置１１０、通信端末（情報処理装置）１２０、及び、データ管理装置１０１を有する。なお、システムはデータ管理装置１０１を有していなくてもよい。
【００１６】
撮像装置１１０は撮像機能を有するカメラなどの携帯端末である。撮像装置１１０と通信端末１２０は、Ｗｉ−Ｆｉなどの無線ＬＡＮの規格を利用して互い通信可能に接続されている。例えば、撮像装置１１０は、光学ファインダー越しに見られる表示部に通知マークを表示すると同時に、ＸＭＬなどの記述言語で作られた識別情報を通信端末１２０へ送信する。なお、撮像装置１１０は、通信端末１２０と直接通信を行ってもよいし、他の装置を介して通信端末１２０と通信を行ってもよい。通知マークが表示される表示部は特に限定されない。例えば、通知マークは、電子ビューファインダーとして利用される表示部（ＬＣＤなど）に表示されてもよい。表示部は撮像装置１１０の一部であってもよいし、そうでなくてもよい。
【００１７】
通信端末１２０は、パーソナルコンピュータ（ＰＣ）やスマートフォンなどの携帯通信端末である。通信端末１２０は、ネットワーク１３０を介してデータ管理装置１０１に接続される。通信端末１２０では、ネットワーク１３０を介した情報伝送が可能な標準プロトコルを有するプログラム１２１が動作可能である。通信端末１２０は、プログラム１２１により、撮像装置１１０から送信された識別情報を受信する。次に、通信端末１２０は、プログラム１２１により、ＨＴＴＰなどのプロトコルを用いてデータ管理装置１０１にアクセスし、ＸＭＬなどの記述言語で作られた要求情報をデータ管理装置１０１に送信する。そして、通信端末１２０は、ＨＴＭＬやＸＭＬなどの記述言語で作られた通知情報をデータ管理装置１０１から受信する。その後、通信端末１２０（通信端末１２０のプログラム１２１）は、データ管理装置１０１から受信した通知情報をユーザに通知する。通知情報は、表示や音声によりユーザに通知される。通知情報が表示される表示部は、通知マークが表示される上記表示部とは異なる。通知情報が表示される表示部は通信端末１２０の一部であってもよいし、そうでなくてもよい。
【００１８】
データ管理装置１０１は、情報データベース１０２と制御部１０３を有する。情報データベース１０２には、通知情報を示すテーブルデータが格納されている。制御部１０３は、データ管理装置１０１を全体的に制御する。
【００１９】
詳細は後述するが、通信端末１２０は、撮像装置１１０から送信された識別情報に対応する（紐付く）通知情報をデータ管理装置１０１から取得し、取得した通知情報をユーザに通知する。詳細は後述するが、本実施形態では、通信端末１２０は、撮像装置１１０から送信された識別情報に対応する通知情報を既に取得していた場合には、データ管理装置１０１との通信を行わずに、その通知情報をユーザに通知する。詳細は後述するが、通信端末１２０は、表示や音声だけではなく、事前に設定されたパターンの振動（バイブレーション）により、通知情報をユーザに通知することができる。
【００２０】
なお、通信端末１２０のプログラム１２１は、汎用プログラムでも専用アプリケーションプログラムでもよい。プログラム１２１は、Ｗｅｂサービスのために利用されるブラウ
ザであってもよい。撮像装置１１０は、カメラであってもよいし、ＰＣやスマートフォンなどの情報処理装置であってもよい。ネットワーク１３０を伝送するデータは、ＳＳＬなどにより暗号化されていることが望ましい。
【００２１】
図２は、通信端末１２０の概略構成例を示すブロック図である。
【００２２】
表示部２０１は、種々の画像（写真、ＣＧ、アイコン、メッセージ、メニュー、等）を表示する。表示部２０１は、例えば、液晶表示パネルなどからなる。ＶＲＡＭ２０２には、表示部２０１に表示されるビットマップ画像が描画される。ＶＲＡＭ２０２に描画されたビットマップ画像（ＶＲＡＭ２０２に格納されたビットマップ画像データ）が所定の順序で表示部２０１に読み出され、読み出されたビットマップ画像が表示部２０１に表示される。表示部２０１は、通信端末１２０とは別体の装置であってもよい。
【００２３】
ＢＭＵ（ビットムーブユニット）２０３は、種々のデータ伝送を制御する。例えば、ＢＫＵ２０３は、メモリ間（ＶＲＡＭ２０２と他のメモリとの間など）のデータ伝送、メモリとＩ／Ｏデバイス（ネットワークＩ／Ｆ２１１など）との間のデータ転送、等を制御する。
【００２４】
キーボード２０４とＰＤ（ポインティングデバイス）２０５は、通信端末１２０に対するユーザ操作を受付可能な操作部材である。キーボード２０４は、文字などを入力するための各種キーを有する。ＰＤ２０５は、例えば、表示部２０１に表示されるアイコン、メニュー、その他のコンテンツ、等を指示したり、オブジェクトをドラッグ・アンド・ドロップしたりするために使用される。ＰＤ２０５は、マウス、タッチパッド、タッチパネル、等である。キーボード２０４とＰＤ２０５の少なくとも一方は、通信端末１２０とは別体の操作部材であってもよい。
【００２５】
ＣＰＵ２０６は、ＲＯＭ２０７、ＨＤＤ２０９、または、メモリカード２１０に格納されたＯＳや制御プログラムに基づいて、通信端末１２０の各構成部の動作、通信端末１２０の外部装置の動作、等を制御する。ＲＯＭ２０７は、各種制御プログラム及び各種データを記憶する。ＲＡＭ２０８は、ＣＰＵ２０６のワーク領域、エラー処理時のデータの退避領域、及び、制御プログラムのロード領域、等として使用される。ＨＤＤ２０９とメモリカード２１０は、各制御プログラム、一時保管する各種データ、等を記憶する。制御プログラムは、外部装置（他の情報処理装置など）からネットワークＩ／Ｆ２１１を介してＣＰＵ２０６へ提供されてもよい。
【００２６】
ネットワークＩ／Ｆ２１１は、ネットワークを介して通信端末１２０の外部装置（他の情報処理装置やプリンタなど）との通信を行う。例えば、ネットワークＩ／Ｆ２１１は、撮像装置１１０やデータ管理装置１０１との通信のために使用される。
【００２７】
バス２１２は、アドレスバス、データバス、及び、コントロールバスを含む。バス２１２は、通信端末１２０が有する構成部間のデータ伝送のために使用される。
【００２８】
振動部２１３は、モーターなどからなり、種々の振動パターンで振動する。振動部２１３が振動することにより、通信端末１２０も振動部２１３の振動パターンと同じ振動パターンで振動する。スピーカー２１４は、種々の音（音声）を発する。スピーカー２１４は、通信端末１２０とは別体の装置であってもよい。
【００２９】
図３は、撮像装置１１０の概略構成例を示すブロック図である。
【００３０】
撮影レンズ３０１は、ズームレンズ及びフォーカスレンズを含む。シャッター３０２は
絞り機能を備える。撮像部３０３は、撮影レンズ３０１とシャッター３０２を通った光（光学像）を電気信号に変換して出力する。撮像部３０３は、ＣＣＤやＣＭＯＳ素子などで構成される。Ａ／Ｄ変換器３０４は、撮像部３０３から出力された電気信号（アナログ信号）をデジタル信号（画像データ）に変換して出力する。Ａ／Ｄ変換器３０４から出力された画像データは、画像処理部３０６およびメモリ制御部３０７を介して、または、メモリ制御部３０７のみを介して、メモリ３０９に書き込まれる。バリア３０５は、撮影レンズ３０１などを覆うことにより、撮影レンズ３０１、シャッター３０２、及び、撮像部３０３を含む撮像系の汚れや破損を防止する。
【００３１】
画像処理部３０６は、Ａ／Ｄ変換器３０４からの画像データまたはメモリ制御部３０７からの画像データに対して所定の画像処理（画素補間、リサイズ処理（縮小や拡大）、色変換処理、等）を施す。また、画像処理部３０６は、撮像された画像データを用いて所定の演算処理を行う。システム制御部３０８は、所定の演算処理の結果に基づいて露光制御や測距制御を行う。
【００３２】
システム制御部３０８は、撮像装置１１０を全体的に制御する。システム制御部３０８は、不揮発性メモリ３１２に記憶されたプログラムを実行することで、撮像装置１１０の処理を実現する。
【００３３】
メモリ３０９は、Ａ／Ｄ変換器３０４により生成された画像データ、表示部３１０に表示するための画像データ、等を記憶する。メモリ３０９は、所定枚数の静止画像や所定時間の動画像および音声を記憶するのに十分な記憶容量を有する。また、メモリ３０９は、画像表示用のメモリ（ビデオメモリ）を兼ねている。
【００３４】
Ｄ／Ａ変換器３１１は、メモリ３０９に格納されている表示用の画像データをアナログ信号に変換して表示部３１０に供給する。そして、表示部３１０は、Ｄ／Ａ変換器３１１からのアナログ信号に応じた画像を表示する。このように、メモリ３０９に書き込まれた表示用の画像データは、Ｄ／Ａ変換器３１１を介して表示部３１０に供給され、表示部３１０により表示される。
【００３５】
表示部３１０は、Ｄ／Ａ変換器３１１からのアナログ信号に応じた表示を行う。表示部３１０は、例えば、ＬＣＤなどからなる。表示部３１０は、上述した通知マークなどを表示する。
【００３６】
不揮発性メモリ３１２は、電気的にデータを消去・記録可能なメモリであり、例えばＥＥＰＲＯＭなどである。不揮発性メモリ３１２は、システム制御部３０８の動作用の定数、システム制御部３０８により実行されるプログラム、等を記憶する。
【００３７】
システムメモリ３１３は、例えば、ＲＡＭである。システムメモリ３１３には、システム制御部３０８の動作用の定数や変数、不揮発性メモリ３１２から読み出されたプログラム、等が展開される。
【００３８】
モード切替スイッチ３１４、第１シャッタースイッチ３１５、第２シャッタースイッチ３１６、及び、操作部３１７は、システム制御部３０８に各種の動作指示を入力するために使用される。
【００３９】
モード切替スイッチ３１４は、システム制御部３０８の動作モードを、静止画記録モード、動画記録モード、再生モード、等を含む複数の動作モードの何れかに切り替える。
【００４０】
第１シャッタースイッチ３１５は、撮像装置１１０に設けられたシャッターボタンの操
作途中、いわゆる半押し（撮影準備指示）でオンとなり、第１シャッタースイッチ信号ＳＷ１を発生する。
【００４１】
第２シャッタースイッチ３１６は、シャッターボタンの操作完了、いわゆる全押し（撮影指示）でオンとなり、第２シャッタースイッチ信号ＳＷ２を発生する。システム制御部３０８は、第２シャッタースイッチ信号ＳＷ２に応じて、撮像部３０３からの信号読み出しから記録媒体３２５への画像データの書き込みまでの一連の撮影処理の動作を開始する。
【００４２】
操作部３１７の各操作部材には、表示部３１０に表示された種々の機能アイコンが選択操作されることなどにより、場面毎に適宜機能が割り当てられる。その結果、各操作部材は、各種機能ボタンとして作用する。機能ボタンとしては、例えば、確認ボタン、終了ボタン、戻るボタン、画像送りボタン、ジャンプボタン、絞込みボタン、属性変更ボタン、等がある。例えば、メニューボタンが押されると、各種設定が可能なメニュー画面が表示部３１０に表示される。ユーザは、表示部３１０に表示されたメニュー画面と、４方向ボタンやＳＥＴボタンとを用いて、直感的に各種設定を行うことができる。
【００４３】
コントローラホイール３１８は、操作部３１７に含まれる回転操作可能な操作部材であり、方向ボタンと共に選択項目を指示するときなどに用いられる。例えば、コントローラホイール３１８の回転操作が行われると、その回転量（操作量）に応じた電気的なパルス信号が発生する。システム制御部３０８は、パルス信号に基づいて、撮像装置１１０の各構成部の動作を制御する。また、システム制御部３０８は、パルス信号に基づいて、コントローラホイール３１８の回転操作における回転角度や回転数などを判断することができる。なお、コントローラホイール３１８は、回転操作を検出できる操作部材であればどのようなものでもよい。
【００４４】
コントローラリング３１９は、操作部３１７に含まれる回転操作可能な部材である。コントローラリング３１９の回転操作は、レンズ鏡筒周りで光軸を中心として回転する操作である。例えば、コントローラリング３１９の回転操作が行われると、その回転量（操作量）に応じた電気的なパルス信号が発生する。システム制御部３０８は、パルス信号に基づいて、撮像装置１１０の各構成部の動作を制御する。また、コントローラリング３１９の機能切替ボタンが押されると、コントローラリング３１９に割り当てる機能を変更可能なメニュー画面が表示部３１０に表示される。通常、コントローラリング３１９およびコントローラホイール３１８はモード項目の選択やモード項目の値の変更に用いられる。
【００４５】
電源スイッチ３２０は、撮像装置１１０電源のオンとオフを切り替える。電源制御部３２１は、電池検出回路、ＤＣ−ＤＣコンバータ、通電するブロックを切り替えるスイッチ回路、等により構成される。電源制御部３２１は、電池の装着の有無、電池の種類、及び、電池残量の検出を行う。また、電源制御部３２１は、その検出結果およびシステム制御部３０８の指示に基づいてＤＣ−ＤＣコンバータを制御し、必要な電圧を必要な期間、記録媒体３２５を含む各構成部へ供給する。電源部３２２は、アルカリ電池やリチウム電池などの一次電池、ＮｉＣｄ電池、ＮｉＭＨ電池、Ｌｉ電池、等の二次電池、ＡＣアダプター、等からなる。
【００４６】
通信部３２３は、記録媒体３２５に記憶された画像を撮像装置１１０の外部装置に送信する。インタフェース３２４は、記録媒体３２５とのインタフェースである。記録媒体３２５は、半導体メモリや磁気ディスクなどから構成される。
【００４７】
ネットワークＩ／Ｆ３２６は、システム制御部３０８により制御され、ネットワークを介して撮像装置１１０の外部装置との通信を行う。例えば、ネットワークＩ／Ｆ３２６は
、通信端末１２０との通信のために使用される。なお、通信端末１２０との通信は通信部３２３により行われてもよい。
【００４８】
図４は、本実施形態に係る通知マーク表示の一例を示す図である。グリッド４０１は、水平方向や垂直方向の確認、被写体の構図の決定、等のために利用される。オートフォーカスフレーム４０２は、フォーカス位置を決めるために利用される。通知マーク４０３は、撮影中に何らかの理由でシャッターが切れない場合、撮像装置１１０の設定状態が特定の設定状態である場合、等において表示される。
【００４９】
図５は、データ管理装置１０１の情報データベース１０２に保存されたテーブルデータのデータ構造の一例を示す。通知識別子５０１は、通知情報や撮像装置１１０の状態を特定するための一意な番号を示す。機器型番５０２は、通知情報に対応する装置の名称を示す。指示データ５０３と説明データ５０４は、通知マークに対応する状態（撮像装置１１０の状態）に関する通知情報である。具体的には、指示データ５０３と説明データ５０４は、通知マークに対応する状態を説明する通知情報である。より具体的には、指示データ５０３は、通知マークに対応する状態の解除方法（対処方法）、すなわち通知マーク表示の解除方法を示す通知情報である。説明データ５０４は、通知マークに対応する状態の意味、すなわち通知マークの表示理由を示す通知情報である。
【００５０】
エントリ５０５〜５０９は、ＥＯＳ５Ｄ−ＭＫ４（撮像装置）に対応する通知情報（通知マーク表示の解除方法と通知マークの表示理由）が保存されていることを示す。エントリ５１０は、通知識別子６とＥＦ２４−７０Ｌ２（レンズ）とに対応する通知情報が保存されていることを示す。エントリ５１１は、通知識別子７とＥＦ７０−２００ＬＩＳ２（レンズ）とに対応する通知情報が保存されていることを示す。
【００５１】
ユーザは、表示部３１０に表示された通知マーク４０３を見ても、通知マーク４０３の詳細（通知マーク表示の解除方法や通知マークの表示理由）を容易に把握することができない。そのため、従来は、一時的に撮影を中断して改めて撮影を再開するような無駄が発生していた。このような従来の対処方法では、瞬間を切り取りたい場面で撮影に失敗してしまう虞がある。
【００５２】
これに対し、本実施形態では、撮影中に通知マークが表示された場合などにおいて、通信端末１２０が自動で指示データ５０３をユーザに通知する（この場合にはスピーカー２１４による音声通知が好ましい）。これにより、ユーザは、撮影を中断することなく、通知マーク４０３の表示の解除方法を容易に知ることができる。また、撮影終了後などに、より詳細な情報を知りたいユーザのために、通信端末１２０が自動で説明データ５０４をユーザに通知する（この場合には表示部２０１による画面表示が好ましい）。これにより、ユーザは、通知マーク４０３の表示理由、通知マーク４０３に遭遇しない撮影方法、等を容易に知ることができる。なお、説明データ５０４が音声などで通知され、指示データ５０３が画面表示などで通知されてもよい。
【００５３】
図６は、通信端末１２０が撮像装置１１０およびデータ管理装置１０１と連携して情報を通知するための動作（システムの動作）の一例を示す。
【００５４】
Ｓ６０１にて、撮像装置１１０（システム制御部３０８）は、モード切替スイッチ３１４に対するユーザ操作に応じて、撮影処理を開始する。
【００５５】
Ｓ６０２にて、撮像装置１１０（システム制御部３０８）は、撮像装置１１０の取り得る複数の状態のうち、通知対象とされる状態を検知する。すなわち、システム制御部３０８は、撮像装置１１０の状態が通知対象の状態であるか否かを判定する。システム制御部
３０８は、通知対象の状態を検知すると、当該状態に対応する通知マーク４０３を表示部３１０に表示するように制御する。
【００５６】
Ｓ６０３にて、撮像装置１１０（システム制御部３０８）は、通知対象の状態を検知したことに応じて、当該状態に対応する通知識別子５０１（識別情報）を通信端末１２０へ送信するように制御する。それにより、撮像装置１１０（ネットワークＩ／Ｆ３２６）は、上記通知識別子５０１を通信端末１２０（ネットワークＩ／Ｆ２１１）へ送信する。ここで、通知識別子の送信は、「ユーザへの通知情報の通知の要求（通知要求）」とも言える。
【００５７】
Ｓ６０４にて、通信端末１２０（ネットワークＩ／Ｆ２１１）は、撮像装置１１０（ネットワークＩ／Ｆ３２６）によって送信された通知識別子５０１を受信する。そして、通信端末１２０（ＣＰＵ２０６）は、通知識別子５０１を受信したことに応じて、通知要求を受け付けたことを示す受付完了通知を撮像装置１１０へ送信するように制御する。それにより、通信端末１２０（ネットワークＩ／Ｆ２１１）は、受付完了通知を撮像装置１１０（ネットワークＩ／Ｆ３２６）へ送信する。
【００５８】
Ｓ６０５にて、通信端末１２０（ＣＰＵ２０６）は、Ｓ６０４で受信した通知識別子５０１に対応する通知情報を取得するための処理を行う。例えば、ＣＰＵ２０６は、上記通知識別子５０１をデータ管理装置１０１へ送信するように制御する。それにより、通信端末１２０（ネットワークＩ／Ｆ２１１）は、上記通知識別子５０１をデータ管理装置１０１へ送信する。ここで、通知識別子の送信は、「通知情報の要求（通知情報要求）」とも言える。
【００５９】
Ｓ６０６にて、データ管理装置１０１（制御部１０３）は、Ｓ６０５の処理により通信端末１２０から受信した通知識別子５０１に対応するエントリを情報データベース１０２のテーブルデータから検索する。そして、制御部１０３は、検索でヒットしたエントリの機器型番５０２、指示データ５０３、及び、説明データ５０４を通信端末１２０へ送信するように制御する。それにより、データ管理装置１０１は、上記３つの情報（機器型番５０２、指示データ５０３、及び、説明データ５０４）を通信端末１２０へ送信する。その結果、通信端末１２０（ＣＰＵ２０６）は、上記３つの情報を取得する。上記３つの情報のうち、指示データ５０３と説明データ５０４が、通信端末１２０がＳ６０４で受信した通知識別子５０１に対応する通知情報である。
【００６０】
Ｓ６０７にて、通信端末１２０（ＣＰＵ２０６）は、Ｓ６０４で受信した通知識別子５０１に対応する通知情報をユーザに通知するように制御する。具体的には、ＣＰＵ２０６は、Ｓ６０４で受信した通知識別子５０１に対応する指示データ５０３をユーザに通知ように制御する。ユーザへの指示データ５０３の通知は音声通知であることが好ましい。例えば、通信端末１２０のスピーカー２１４が、ＣＰＵ２０６からの指示に従い、指示データ５０３を音声でユーザに通知する。
【００６１】
また、通信端末１２０（ＣＰＵ２０６）は、撮像装置１１０による撮影後に、Ｓ６０４で受信した通知識別子５０１に対応する説明データ５０４を表示部２０１に表示するように制御する。撮像装置１１０から通信端末１２０へ撮影終了が通知されてもよいし、そうでなくてもよい。通信端末１２０を用いて撮影終了の指示を行なえる場合には、通信端末１２０は、通信端末１２０に対するユーザ操作から撮影終了を検知することができる。通信端末１２０（ＣＰＵ２０６）は、撮像装置１１０と通信端末１２０の接続の切れを撮影終了として検知してもよい。
【００６２】
なお、説明データ５０４の表示タイミングは特に限定されない。例えば、撮像装置１１
０（システム制御部３０８）が、光学ファインダーや電子ビューファインダーなどのファインダーからの離眼を検知し、検知した離眼を通信端末１２０に通知するように制御してもよい。そして、通信端末１２０（ＣＰＵ２０６）が、撮像装置１１０によって離眼が通知されたことに応じて、説明データ５０４を表示部２０１に表示するように制御してもよい。
【００６３】
以上の動作によれば、指示データ５０３の自動通知により、ユーザは、通知マーク４０３の表示の解除方法を容易に知ることができる。また、説明データ５０４の自動通知により、ユーザは、通知マーク４０３の表示理由、通知マーク４０３に遭遇しない撮影方法、等を容易に知ることができる。
【００６４】
図７は、Ｓ６０５の処理の具体例を示すフローチャートである。通信端末１２０の記憶部（ＲＯＭ２０７、ＨＤＤ２０９、メモリカード２１０、等）は、通知情報を記憶することができる。例えば、通信端末１２０の記憶部は、図５のテーブルデータと同様のテーブルデータを記憶することができる。
【００６５】
Ｓ７０１にて、通信端末１２０（ＣＰＵ２０６）は、Ｓ６０４で受信した通知識別子５０１に対応する通知情報を、上記記憶部のテーブルデータから検索する。具体的には、ＣＰＵ２０６は、Ｓ６０４で受信した通知識別子５０１に対応するエントリが上記記憶部のテーブルデータに存在するか否かを判定する。
【００６６】
エントリが存在すると判定された場合には、通信端末１２０（ＣＰＵ２０６）は、Ｓ６０４で受信した通知識別子５０１に対応する通知情報を、上記記憶部のテーブルデータから取得する。このとき、ＣＰＵ２０６は、通知情報要求の制御（通知識別子５０１をデータ管理装置１０１へ送信するための制御）を省略する。そのため、Ｓ６０６の処理が行われずに、Ｓ６０７の処理が行われる。
【００６７】
エントリが存在しないと判定された場合には、Ｓ７０２にて、通信端末１２０（ＣＰＵ２０６）は、通知情報要求の制御を行う。その結果、Ｓ６０６の処理が行われ、ＣＰＵ２０６は、Ｓ６０４で受信した通知識別子５０１に対応する情報を、データ管理装置１０１から取得する。
【００６８】
Ｓ７０３にて、通信端末１２０（ＣＰＵ２０６）は、Ｓ７０２で取得した情報（機器型番５０２、指示データ５０３、及び、説明データ５０４）を、Ｓ６０４で受信した通知識別子５０１に対応付けて、上記記憶部のテーブルデータに追加（登録）する。
【００６９】
以上の動作によれば、取得された通知情報は保存されて利用されるため、通知情報をより早くユーザに通知することができる。具体的には、保存された通知情報をユーザに通知する場合において、データ管理装置１０１から通知情報を取得して通知する場合に比べて早く通知情報をユーザに通知することができる。
【００７０】
なお、通信端末１２０（ＣＰＵ２０６）がデータ管理装置１０１から通知情報を取得するタイミングは特に限定されない。例えば、ＣＰＵ２０６は、通知識別子５０１を受信したことに応じて、当該通知識別子５０１に対応する通知情報を、データ管理装置１０１から取得する。
【００７１】
ＣＰＵ２０６は、撮像装置１１０と通信端末１２０の接続（例えばＷｉ−Ｆｉ接続）を検知してもよい。そして、ＣＰＵ２０６は、上記接続を検知したことに応じて、当該撮像装置１１０に対応する通知情報をデータ管理装置１０１から取得してもよい。この場合には、例えば、データ管理装置１０１は、撮像装置１１０に対応する機器型番５０２を利用
して、撮像装置１１０に対応するエントリを図５のテーブルデータから検索する。そして、ＣＰＵ２０６は、検索でヒットしたエントリをデータ管理装置１０１から取得する。撮像装置１１０の機器型番５０２がＥＯＳ５Ｄ−ＭＫ４の場合には、エントリ５０５〜５０９が検索でヒットする。
【００７２】
撮像装置１１０（システム制御部３０８）は、撮像装置１１０に装着されたレンズ（レンズユニット）の交換を検知し、検知したレンズ交換を通信端末１２０に通知するように制御してもよい。そして、通信端末１２０（ＣＰＵ２０６）は、撮像装置１１０によってレンズ交換が通知されたことに応じて、交換後のレンズに対応する通知情報をデータ管理装置１０１から取得してもよい。この場合には、例えば、データ管理装置１０１は、交換後のレンズに対応する機器型番５０２を利用して、交換後のレンズに対応するエントリを図５のテーブルデータから検索する。そして、ＣＰＵ２０６は、検索でヒットしたエントリをデータ管理装置１０１から取得する。交換後のレンズの機器型番５０２がＥＦ２４−７０Ｌ２の場合にはエントリ５１０が検索でヒットし、交換後のレンズの機器型番５０２がＥＦ７０−２００ＬＩＳ２の場合にはエントリ５１１が検索でヒットする。
【００７３】
図８は、説明データ５０４の表示例を示す。通知画面８０１は、説明データ５０４を示す画面である。通知画面８０１は、Ｓ６０４で通信端末１２０が受信した通知識別子５０１に対応する機器型番５０２と説明データ５０４、及び、通信端末１２０が通知マーク４０３の表示を検知した時刻を示す。例えば、Ｓ６０４にて、通信端末１２０（ＣＰＵ２０６）は、通知識別子５０１を受信した時刻を、通知マーク４０３の表示を検知した時刻として記憶部に記録する。通知マーク４０３の表示を検知した時刻は、通知マーク４０３が表示された時刻であってもよい。
【００７４】
通知画面８０１は、リンクボタン８０２、バイブレーション設定情報８０３、及び、確認ボタン８０４をさらに含む。リンクボタン８０２は、後述するバイブレーション設定画面を表示するためのボタンである。バイブレーション設定情報８０３はバイブレーション設定の状態を示す文字列である。図８では、バイブレーション設定が未設定であるため、文字列「ＯＦＦ」が使用されている。確認ボタン８０４は、通知画面８０１を閉じるためのボタンである。
【００７５】
通知画面８０１によれば、ユーザは、通知マーク４０３の表示理由、通知マーク４０３に遭遇しない撮影方法、等を容易に知ることができる。
【００７６】
図９は、バイブレーション設定画面の一例を示す。通信端末１２０（ＣＰＵ２０６）は、リンクボタン８０２を選択するユーザ操作に応じて、バイブレーション設定画面９０１を表示するように制御する。図６の説明において、ユーザへの指示データ５０３の通知が音声通知あることが好ましいと説明した。しかし、ユーザへの指示データ５０３の通知は、音声通知に限られず、通信端末１２０のバイブレーション機能を利用した通知であってもよい。バイブレーション機能を利用した通知を行うためには、通知情報と、振動部２１３の振動パターン（震え方）との対応関係を予め設定する必要がある。バイブレーション設定画面９０１は、そのような設定のために利用される。
【００７７】
バイブレーション設定画面９０１は、機器型番５０２、指示データ５０３、及び、説明データ５０４を含む。さらに、バイブレーション設定画面９０１は、上記３つの情報の組み合わせに対応付ける振動パターンを設定するための複数のボタン（「設定１」〜「設定４」）と、リンクボタン９０４，９０５とを含む。
【００７８】
符号９０２は、「設定１」の振動パターンがユーザ操作によって選択（設定）されていることを示す。符号９０３は、「設定２」〜「設定４」が選択されていないことを示す。
リンクボタン９０４は、バイブレーション設定画面９０１を用いて行われたバイブレーション設定（振動パターンの設定）をキャンセルし、図８の通知画面８０１に表示を戻すためのボタンである。リンクボタン９０５は、バイブレーション設定画面９０１を用いて行われたバイブレーション設定を保存し、通知画面８０１に表示を戻すためのボタンである。バイブレーション設定の保存において、バイブレーション設定の情報（設定番号など）は、通知識別子５０１に対応付けられる。バイブレーション設定が保存された場合には、通知画面８０１のバイブレーション設定情報８０３は、保存されたバイブレーション設定の情報に更新される。
【００７９】
バイブレーション設定が行われることにより、通知情報を振動でユーザに通知することができる。
【００８０】
なお、音声と振動の一方のみにより指示データ５０３がユーザに通知されてもよいし、音声と振動の両方で指示データ５０３がユーザに通知されてもよい。また、通信端末１２０（ＣＰＵ２０６）は、撮像装置１１０による音声記録（動画撮影など）を検知してもよい。そして、ＣＰＵ２０６は、音声記録を検知しているか否かに応じて、指示データ５０３の通知方法を切り替えてもよい。音声記録時に音声通知が行われると、通知された音声がノイズとして記録されてしまうことがある。そのため、音声記録が検知されている場合に指示データ５０３が振動でユーザに通知され、音声記録が検知されていない場合に指示データ５０３が音声でユーザに通知されるとよい。撮像装置１１０から通信端末１２０へ音声記録の実行（開始や終了）が通知されてもよいし、そうでなくてもよい。通信端末１２０を用いて音声記録の実行指示を行なえる場合には、通信端末１２０は、通信端末１２０に対するユーザ操作から音声記録の実行を検知することができる。
【００８１】
以上述べたように、本実施形態によれば、表示された通知マークの詳細をユーザに容易に把握させることができる。その結果、表示された通知マークの詳細（通知マーク表示の解除方法や通知マークの表示理由）をユーザが把握できずに、瞬間を切り取りたい場面で撮影に失敗してしまう虞などを解消することができる。
【００８２】
以上、本発明をその好適な実施形態に基づいて詳述してきたが、本発明はこの特定の実施形態に限られるものではなく、この発明の要旨を逸脱しない範囲の様々な形態も本発明に含まれる。
【００８３】
＜その他の実施形態＞
本発明は、上述の実施形態の１以上の機能を実現するプログラムを、ネットワーク又は記録媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【００８４】
従って、本発明の機能処理をコンピュータで実現するために、該コンピュータに供給、インストールされるプログラムコード自体も本発明を実現するものである。つまり、本発明の機能処理を実現するためのコンピュータプログラム自体も本発明に含まれる。その場合、プログラムの機能を有していれば、オブジェクトコード、インタプリタにより実行されるプログラム、ＯＳに供給するスクリプトデータ等、プログラムの形態は問わない。プログラムを供給するための記録媒体としては、例えば、ハードディスク、磁気テープ等の磁気記録媒体、光／光磁気記録媒体、不揮発性の半導体メモリ、等を使用できる。また、プログラムの供給方法としては、コンピュータネットワーク上のサーバに本発明を形成するプログラムを記録し、コンピュータネットワークに接続したクライアントコンピュータがプログラムをサーバからダウンロードするような方法も考えられる。
【符号の説明】
【００８５】
１１０：撮像装置  １２０：通信端末  ２０１：表示部  ２０５：ＣＰＵ
２１１：ネットワークＩ／Ｆ  ２１３：振動部  ２１４：スピーカー
３０８：システム制御部  ３１０：表示部  ３２６：ネットワークＩ／Ｆ
【図１】
2019046145.tif 000003
【図２】
2019046145.tif 000004
【図３】
2019046145.tif 000005
【図４】
2019046145.tif 000006
【図５】
2019046145.tif 000007
【図６】
2019046145.tif 000008
【図７】
2019046145.tif 000009
【図８】
2019046145.tif 000010
【図９】
2019046145.tif 000011